(57)【要約】      （修正有）【課題】不安定さをなくし、カバーの伸縮性を良くし簡単に誰でも操作が行える。【解決手段】カバーを吊るす竿杆を、断面がボックス構造の1体物のレールとし、強度を上げ、さらに不安定さ改善のためハンガーレールを吊下ロッドで支える構造とした。また、ハンガーレール内部をローラーが走行する構造とした事で、カバーを伸縮させる時の摩擦を無くし、滑らかな動きを可能とした。【選択図】図1
0003114607.tif 000002
【実用新案登録請求の範囲】
【請求項１】
収納物に合わせて適宜高に水平に配設し、収納物の長さに合わせた適宜長さの1本または複数のハンガーレールと、そのハンガーレールと直交し、収納物の横幅に合わせた長さで、前記直交部にハンガーレールに乗って水平移動を可能とするローラーを具備した複数のハンガーと、上記ローラーのシャフトの上部に、個々にハンガーガイドを装備し、そのハンガーガイド上部にガイドレールを左右から挟み込むように取り付けたローラーストッパーと、前記ハンガーの両端を頂点とし、天井とその天井から降下する側面からなり、天井部にハンガーを固定したカバーと、ハンガーレール先端のハンガーに固定され、他方の後尾側に導かれた開閉操作用の2本のロープとを装備し、そのロープの一方を引く事によりカバーをアコーデオンのように収縮させ、他方を引くと開くようにした事を特徴とする機械・装置類の防塵カバー。
【考案の詳細な説明】
【技術分野】
【０００１】
本考案は、工場で稼動する機械・装置・製品・部品などに対して簡単に操作できる機械・装置類の防塵カバ−に関する。       
【背景技術】
【０００２】
機械の加工後放置しておくと塵が堆積したり、他の機械の油や塵が飛んできたりして機械の掃除やメンテナンスに大変な労力が掛かる。従って誰にでも操作できる防塵カバーが必要になってくる。     
【０００３】
機械・装置類の防塵カバーについては各種あるが、その中で、ある一つの防塵装置には、被保護器物と同時に吊り下げる吊下げ部材を備えた外囲壁に空気を注入する装置がある。（特許文献1参照）    
【０００４】
また機械・装置類の防塵カバーではないが、車を被うものとして懸垂カバーの車庫が提案されている。それは径の異なる竿杆を繋ぎあわせ伸縮させる事で、カバーの開閉を行なうものである。（特許文献2参照）  
【０００５】
その特許文献の懸垂カバーの車庫についての概要を以下のように説明する。
【０００６】
使われている主要部材として、車体カバー、直立支柱、竿杆、環体、力骨、および前垂れで構成され、固定された1本の支柱の先端より、釣り竿状に連結された径の異なる竿杆が伸び、その竿杆の下部に車体カバーが吊り下げられている。その竿杆が伸縮する事で車体カバーが開閉される。
【０００７】
【特許文献１】公開実用平成０２−９３４６９
【特許文献２】公開実用昭和６１−６９３５８
【考案の開示】
【考案が解決しようとする課題】
【０００８】
上記従来の懸垂カバーの車庫では、直立支柱および竿杆が1本のため、車体カバーの重さや外力により不安定となる。また連結された竿杆が、特に細い先端部において湾曲などにより、抵抗が大きくなり伸縮に支障をきたす。さらに、車体カバー先端の前垂れを持って竿杆の伸縮を行なうため、カバー内に車が入庫中の時は、手が届きづらく伸縮の操作が困難となる。    
【０００９】
本考案は、主に防塵が必要な機械対象とし且つこのような問題を解決しょうとするものであり、竿杆および周辺構造の改善により不安定さを無くし、カバーの伸縮性を良くするため、新しい構造を取り入れる事により、簡単に誰にでも操作が行なえる事を目的とする。
【課題を解決するための手段】
【００１０】
本考案の機械・装置類の防塵カバーは、上記目的を達成するために新しい構造を取り入れた。まず始めに、収納物に合わせて適宜高に水平に配設し、収納物の長さに合わせた適宜長さの1本または複数のハンガーレールと、そのハンガーレールと直交し、収納物の横幅に合わせた長さで、前記直交部にハンガーレールに乗って水平移動を可能とするローラーを具備した複数のハンガーと、上記ローラーのシャフトの上部に、個々にハンガーガイドを装備し、そのハンガーガイド上部にガイドレールを左右から挟み込むように取り付けたローラーストッパーと、前記ハンガーの両端を頂点とし、天井とその天井から降下する側面からなり、天井部にハンガーを固定したカバーと、ハンガーレール先端のハンガーに固定され、他方の後尾側に導かれた開閉操作用の2本のロープとを装備し、そのロープの一方を引く事によりカバーをアコーデオンのように収縮させ、他方を引くと開くようにしたものである。
【００１１】
上記課題解決手段による作用は次の通りである。すなわち、 カバー全体の重量を支えるハンガーレールは、その断面をボックス構造とし、連結の無い一体物にする事で、ハンガーレール全体の強度を増す事ができる。
【００１２】
次に、前記のボックス故造をしたハンガーレールの中を、カバ−を支えるローラーを走らせる構造とし、ローラーのシャフト上部にある複数個のハンガーガイドのローラーストッパーにより、上下方向のぐらつきが押さえられる。
【００１３】
ハンガーレールをボックス構造にしたもう1つの理由として、レール内部を、ハンガーを吊るす複数のローラーが転がる事により、ロープなどでカバーを伸縮させる時の摩擦を無くし、途中引っかかる事も無く滑らかな動きが可能となる。
【考案の効果】
【００１４】
上述したように本考案の機械・装置類の防塵カバーは、構造を変え強度を上げる事によりカバーの脱着時の安定性が確保でき、カバー内部にある機械類の保護が計られる。またカバーをした状態で機械の運転ができ、クリーンルーム加工なども可能となる。
【００１５】
また、ロープなどを引く事によりカバーを伸縮させるとき、ハンガーレール内に摩擦の少ないローラーを使うことにより伸縮性が良く、滑らかな動きが可能となり、誰にでも簡単に操作を行なう事ができる。
【考案を実施するための最良の形態】
【００１６】
以下、本発明の実施の形態を図１〜図５に基づいて説明する。
【００１７】
図1および図2において、本考案の主要部材は、カバー1、吊下ロッド2、ハンガーレール3、ハンガー4、ローラー5などで構成されている。カバー１は吊り下げ構造で袋状に縫製され、天秤式のハンガー4により吊り下げられている。さらにハンガー4はハンガーレール３に連結されて、ハンガーレール3を支点にした天秤状の形態を取っている。      
【００１８】
ハンガーレール3は一方を壁または支柱に固定され、さらにたわみと揺れを防ぐ為、もう一個所斜め上方より吊下ロッド２で吊られ、三角形を形成する事になる。
【００１９】
図2および図４において、ハンガー４とハンガーレール3はローラー5を介して連結され、ローラー5がハンガーレール3内部を走行する構造になっている。
【００２０】
ローラー5はシャフト８の先端に取り付けられ、そのシャフト８はハンガーガイド６およびハンガー４とナット９で固定されいる。 
【００２１】
ハンガーガイド6の上部には、ローラーストッパー７が2個取り付けてあり,このローラーストッパー７が、ハンガーレール3を挟む構造になっている。 
【００２２】
シャフト８は、その断面を円形とせず、2個所面取りして小判形とする。例えばキープレート10とL形キープレート11の取り付け部に面取りしている。
【００２３】
ハンガーガイド6の底部には、キープレート10が、またハンガー４の下部にはＬ形キープレート１１がナット９により友締めされてあり、そのキープレート10およびＬ型キープレート１１のシャフト８貫通部には、小判形の抜き穴を設け、その抜き穴とシャフト８の２面面取り部が嵌合する構造になっている。
【００２４】
以下、上記構成の動作を説明する。カバー1は複数のハンガー4を介してハンガーレール３に連結されている。ハンガー４の中央にあるシャフト８の上部に取り付けられたローラー５がハンガーレール３の内部を走行するが、その操作はカバー先端に有るハンガー４上部のローラー部をロープ１２で移動させることにより、順次、カバー1が縮じむ方向に或いは伸びる方向に移動する。この時、カバーが異動する時の重心移動による揺れ現象などは、吊下ロッド２により防ぎ、ハンガー 4 の水平方向の揺れはローラーストッパー7で防ぐ事が出来る。
【００２５】
さらに、ハンガー４の水平方向の揺れは、キープレート１０とL形キープレート１１の上記した抜き穴とシャフト８の２面、面取り部の嵌合により防ぐ事が出来る。
【００２６】
以上のようにハンガーレール3やハンガー４の揺れを極力少なくした構造と、１体物のハンガーレール３により、カバー１の伸縮を担うローラー5は滑らかな 走行が可能となる。従ってこのようにカバーをアコーデオンのように伸縮させる事により、誰にでも簡単に機械にカバーを着脱させる事が出来る。
【産業上の利用可能性】
【００２７】
防塵が必要な機械を対象とする事が出来る。特に精密加工機械や、クリーンルーム加工などに適する。さらに車などのガレージにも応用が出来る。
【図面の簡単な説明】
【００２８】
【図１】本考案の実施形態を示す防塵カバーの外観図
【図２】ローラー部の図1におけるA−A線断面図
【図３】シャフトの図2におけるB−B線断面図
【図４】ハンガーレールの図2におけるＣ−Ｃ線断面図
【図５】シャフトの図４におけるＤ−Ｄ線断面図
【符号の説明】
【００２９】
１   カバー
２   吊下ロッド
３   ハンガーレール
４   ハンガー
５   ローラー 
６   ハンガーガイド
７   ローラーストッパー
８   シャフト
９   ナット
１０   キープレート
１１   L形キープレート
１２   ロープ
【図１】
0003114607.tif 000003
【図２】
0003114607.tif 000004
【図３】
0003114607.tif 000005
【図４】
0003114607.tif 000006
【図５】
0003114607.tif 000007